(57)【特許請求の範囲】
【請求項１】
構造物内に離間して配置された複数の遠隔トランシーバユニット（ＲＴＵ）のうちの第１のＲＴＵで、通信デバイスからの無線周波（ＲＦ）電話通信信号を無線で受信することと、
前記ＲＦ電話通信信号からデータ信号を復調すること、および、ビットまたはシンボルレートで、データレート通信チャネルで、前記データ信号および前記第１のＲＴＵに関連づけられたデータを送信することと、
前記基地局で、前記データ信号および関連づけられたデータを受信することと、
前記基地局で、前記データ信号を集約することと、
前記第１のＲＴＵから前記データ信号および関連づけられたデータを受信すること、および、重複するカバレッジエリアを有する別のＲＴＵから前記データ信号の遅延バージョンを受信することと、
信号品質を向上させるために、両方のＲＴＵからの前記データ信号を集約することと、
データ信号レートの倍数であるシンボルレートで前記基地局に前記データ信号を送信することと、
増加した空間利得のために、前記基地局で、軟判定最大比合成を行うことと、
受信信号強度または品質の指標として、前記シンボルレートを重みづけすることと、
通信ネットワークへのバックホールリンクにインターフェースで接続することにより、通信を終結させることと
を含む、建物内から無線電話通信を伝達するための方法。
【請求項２】
セルラー帯域およびパーソナル通信サービス（ＰＣＳ）帯域のうちの選択された１つのＲＦ電話通信信号からデータ信号を復調することと、
前記選択された帯域をさらに含む前記データ信号および関連づけられたデータを送信することと
をさらに含む、請求項１に記載の方法。
【請求項３】
前記通信デバイスにデータ信号を返送するための前記第１のＲＴＵを選択することと、前記基地局から前記第１のＲＴＵにデータ信号を送信することと、
前記第１のＲＴＵによって前記データ信号をＲＦ変調することと
をさらに含む、請求項１に記載の方法。
【請求項４】
前記バックホールリンクを通じての調整を介して、屋外基地トランシーバ局（ＢＴＳ）と前記通信デバイスの電話通信セッションのハンドオーバーを容易にする前記基地局をさらに含む、請求項３に記載の方法。
【請求項５】
前記構造物内の２つのセクタ間での前記通信デバイスの電話通信セッションのセクタ転送を容易にするために、前記基地局によって前記第１のＲＴＵを選択することをさらに含む、請求項３に記載の方法。
【請求項６】
ダイバーシチのために、フォワードリンク送信において差動遅延を導入することをさらに含む、請求項３に記載の方法。
【請求項７】
ソフトハンドオーバー要求を回避するために、複数のＲＴＵから前記通信デバイスへの共通ＲＦチャネルを利用することをさらに含む、請求項３に記載の方法。
【請求項８】
共通キャリア周波数と、共通擬似雑音オフセットおよびスクランブル符号からなるグループのうちの選択された１つとを使用することにより、共通ＲＦチャネルを利用することをさらに含む、請求項７に記載の方法。
【請求項９】
構造物内に離間して配置された複数の遠隔トランシーバユニット（ＲＴＵ）のうちの第１のＲＴＵで、通信デバイスからの無線周波（ＲＦ）電話通信信号を、無線で受信するための手段と、
前記ＲＦ電話通信信号からデータ信号を復調し、かつ、ビットまたはシンボルレートで、データレート通信チャネルで、前記データ信号および前記第１のＲＴＵに関連づけられたデータを送信するための手段と、
前記基地局で、前記データ信号および関連づけられたデータを受信するための手段と、
前記基地局で、前記データ信号を集約するための手段と、
前記第１のＲＴＵから前記データ信号および関連づけられたデータを受信するため、および、重複するカバレッジエリアを有する別のＲＴＵから前記データ信号の遅延バージョンを受信するための手段と、
信号品質を向上させるために、両方のＲＴＵからの前記データ信号を集約するための手段と、
データ信号レートの倍数であるシンボルレートで前記基地局に前記データ信号を送信するための手段と、
増加した空間利得のために、前記基地局で、軟判定最大比合成を行うことと、
受信信号強度または品質の指標として、前記シンボルレートを重みづけするための手段と、
通信ネットワークへのバックホールリンクにインターフェースで接続することにより、通信を終結させるための手段と
を含む、建物内から無線電話通信を伝達するための装置。
【請求項１０】
構造物内に離間して配置するための複数の遠隔トランシーバユニット（ＲＴＵ）と、通信デバイスからの無線周波（ＲＦ）電話通信信号を、無線で受信し、前記ＲＦ電話通信信号からデータ信号を復調し、前記データ信号および前記第１のＲＴＵに関連づけられたデータを送信するための第１のＲＴＵと、
ビットまたはシンボルレートでの通信のためのデータレート通信チャネルと、
前記基地局で前記データ信号および関連づけられたデータを受信し、前記基地局で前記データ信号を集約し、通信ネットワークへのバックホールリンクにインターフェースで接続することによって通信を終結させる、ための基地局と、
前記第１のＲＴＵから、前記データ信号および関連づけられたデータを受信し、重複するカバレッジエリアを有する別のＲＴＵから、前記データ信号の遅延バージョンを受信し、信号品質を向上させるために、両方のＲＴＵからの前記データ信号を集約する、ための前記基地局と、
データ信号レートの倍数であるシンボルレートで前記基地局に前記データ信号を送信するための前記第１のＲＴＵと、増加した空間利得のために軟判定最大比合成を行うための前記基地局と、
受信信号強度または品質の指標として、前記シンボルレートを重みづけするための前記基地局と、
を含む、建物内から無線電話通信を伝達するための装置。
【請求項１１】
セルラー帯域およびパーソナル通信サービス（ＰＣＳ）帯域のうちの選択された１つのＲＦ電話通信信号からデータ信号を復調し、前記選択された帯域をさらに含む前記データ信号および関連づけられたデータを送信する、ための前記第１のＲＴＵをさらに含む、請求項１０に記載の装置。
【請求項１２】
前記通信デバイスにデータ信号を返送するための前記第１のＲＴＵを選択し、前記基地局から前記第１のＲＴＵにデータ信号を送信する、ための前記基地局と、前記データ信号をＲＦ変調するための前記第１のＲＴＵとをさらに含む、請求項１０に記載の装置。
【請求項１３】
前記バックホールリンクを通じての調整を介して、屋外基地トランシーバ局（ＢＴＳ）内の前記通信デバイスの電話通信セッションのハンドオーバーを容易にする前記基地局をさらに含む、請求項１２に記載の装置。
【請求項１４】
前記構造物内の２つのセクタ間で、前記通信デバイスの電話通信セッションのセクタ転送を容易にするために、前記基地局によって前記第１のＲＴＵを選択することをさらに含む、請求項１２に記載の装置。
【請求項１５】
ダイバーシチのために、フォワードリンク送信において、差動遅延を導入することをさらに含む、請求項１２に記載の装置。
【請求項１６】
ソフトハンドオーバー要求を回避するために、前記通信デバイスへの共通ＲＦチャネルを利用することをさらに含む、請求項１２に記載の装置。
【請求項１７】
共通キャリア周波数と、共通擬似雑音オフセットおよびスクランブル符号からなるグループのうちの選択された１つとを使用することによって共通ＲＦチャネルを利用することをさらに含む、請求項１６に記載の装置。
【請求項１８】
構造物内に離間して配置された複数の遠隔トランシーバユニット（ＲＴＵ）のうちの第１のＲＴＵで、通信デバイスからの無線周波（ＲＦ）電話通信信号を、無線で受信するように、コンピュータにさせるための第１の命令のセットと、
前記ＲＦ電話通信信号からデータ信号を復調するように前記コンピュータにさせ、かつ、ビットまたはシンボルレートで、データレート通信チャネルを通じて前記データ信号および前記第１のＲＴＵに関連づけられたデータを送信するように、前記コンピュータにさせるための第２の命令のセットと、
前記基地局で、前記データ信号および関連づけられたデータを受信するように、前記コンピュータにさせるための第３の命令のセットと、
前記基地局で、前記データ信号を集約するように、前記コンピュータにさせるための第４の命令のセットと、
前記第１のＲＴＵから前記データ信号および関連づけられたデータを受信するように、および、重複するカバレッジエリアを有する別のＲＴＵから前記データ信号の遅延バージョンを受信するように、前記コンピュータにさせるための第５の命令のセットと、
信号品質を向上させるために、両方のＲＴＵからの前記データ信号を集約するように、前記コンピュータにさせるための第６の命令のセットと、
データ信号レートの倍数であるシンボルレートで前記基地局に前記データ信号を送信するように、前記コンピュータにさせるための第７の命令のセットと、
増加した空間利得のために、前記基地局で、軟判定最大比合成を行うように、前記コンピュータにさせるための第８の命令のセットと、
受信信号強度または品質の指標として、前記シンボルレートを重みづけするように、前記コンピュータにさせるための第９の命令のセットと、
通信ネットワークへのバックホールリンクにインターフェースで接続することによって通信を終結させるように、前記コンピュータにさせるための第１０の命令のセットと
を含む、建物内から無線電話通信を伝達するためのコンピュータプログラム。
【発明の詳細な説明】
【技術分野】
【０００１】
本願は、概して、無線通信に関し、より詳細には、建物内でアクセスポイント基地局を関連ユーザー機器が捕捉できるようにするための方法およびシステムに関する。
【背景技術】
【０００２】
典型的な無線アクセスセルラーネットワークは、さまざまな無線伝送デバイス、または基地局によって動作する。これらの基地局は、セルラーサービスプロバイダのコアネットワークに、セルラー電話のような無線移動デバイスへの無線アクセスを提供する。基地局は、さまざまなデータ経路指定および制御メカニズム（たとえば、基地局制御装置、コアおよびエッジルータ、等）と協力して、移動デバイスの遠隔通信を容易にする。通信サービスプロバイダが、基地局のカバレッジを拡張すると、さらなる陸地エリアが、無線アクセスネットワークによってカバーされることができる。しかしながら、いくつかのエリアは、人口、高モバイルトラヒック、他の送信機との干渉、または、基地局の送信を吸収する材料（たとえば、混雑した、コンクリートおよび鉄筋の建物、地下施設、等）といったさまざまな理由によって、信頼性の高い無線カバレッジを提供することが困難であり得る。
【０００３】
具体的には、屋内セルラー受信は、特に、顕著なパイロット信号雑音汚染に影響されやすいより高い階において、強い干渉といった問題を有する。いくつかの場所（たとえば、ショッピングモール、空港のターミナル）は、小さなエリア内の人々のために、大きなキャパシティを有する。したがって、これらの高密度の通信場所は、利用可能なキャパシティの限界を越える。屋外セルと屋内セルのシームレスな統合を提供することは、干渉を管理を管理する場合だけでなくネイバーリストとハンドオーバー手順を併せて管理する場合においても困難となり得る。
【０００４】
無線アクセスが困難であるエリアに移動通信サポートを提供するための１つの解決策は、「個人の」基地局、すなわち、（たとえば、ホームノードＢまたはフェムトセルとも呼ばれる）フェムト基地局（ＢＳ）である。ＢＳは、（無線ローカルエリアネットワークルータによって利用される、免許が付与されていない帯域と対照的な）免許が付与されたセルラー無線帯域にわたる無線通信を容易にする、（ノードＢのような標準の無線ネットワーク基地局と比較して）比較的短距離のデバイスでありうる。例示的な態様において、ＢＳは、任意の大きさのものであることができ、カバレッジエリア内の、大きなカバレッジエリアおよび多くの量のユーザー機器にサービスを提供するために、大きなＢＴＳに付属する。ＢＳは、ノードＢ基地局と同じように、そのようなネットワーク帯域にわたり、セルラーデバイスとの無線リンクを維持することができる。したがって、ＢＳは、無線アクセス基地局から良好な信号を受信しないエリアのために、狭い範囲のセルラーカバレッジを提供することができる。しばしば、個々の消費者は、個人的なセルラー接続のために、彼らの家、アパートの建物、オフィスビル、等において、ＢＳを利用する可能性がある。移動電話ネットワークに加え、現在その代わりに、新たな種類の小さい基地局が出現し、それは、ユーザーの家に設置されることができ、既存のブロードバンドインターネット接続を使用する移動ユニットに、屋内無線カバレッジを提供する。そのような個人の小型基地局は、アクセスポイント基地局、あるいは、ホームノードＢ（ＨＮＢ）またはフェムトセルとして、一般的に知られている。典型的には、そのような小型基地局は、ＤＳＬルータまたはケーブルモデムを介して、インターネット、および、モバイルオペレータのネットワークに接続されている。
【０００５】
より経済的な解決策を生み出すための試みにおいて、統一された無線カバレッジを達成するための典型的な解決策は、建物において、ある種の分散されたアンテナシステムを設置することである。これらは、受動的または能動的（すなわち、電子的利得を有する）であることができる。これらのシステムは、商業的に入手可能であり、局所的な室内のカバレッジのための、ケーブル、ファイバー、増幅器、光学機器およびアンテナを含む。これらのシステムの欠点は、非常に高価で、大きな労力を要し、外部のマクロセルシステムへの計画および統合が困難となる傾向にあることである。しかしながら、設備を通して統一されたカバレッジを提供するために、費用が、多数のそのようなＲＦデバイスを配置することを禁じる場合がある。ＲＦ機器は、全無線チャネルがケーブルネットワークにおいて運ばれるという事実によって、費用主導型である。システムがアナログである場合には、高価なアナログ無線機器がシステムを実現するために必要であり、適切な利得と振幅への関心は、高価な設計の推進力となる。システムがデジタルである場合には、適切な利得と振幅の維持は、より容易に実現可能だが、全無線チャネル（実際には、それは典型的には複数の無線チャネル）では、システムにおけるデジタルデータレートが、数百メガビットの範囲で、非常に大きくなる場合がある。この高いデータレートは、ケーブルのような低価格コンポーネントの使用を不可能にする。
【発明の概要】
【０００６】
以下は、開示された態様のうちのいくつかの態様の基本的な理解を提供するために、簡潔な概要を提示する。この概要は、広範囲にわたる概観ではなく、鍵または決定的な要素を明らかにすることも、そのような態様の範囲を詳細に述べることも意図しない。その目的は、後に提示されるより詳細な説明への前置きとして、簡潔な形で説明された特徴のいくつかの概念を提示することである。
【０００７】
１つの態様では、建物内から無線の電話通信を伝達するための方法が提供される。無線で、通信デバイスからの無線周波（ＲＦ）電話通信信が、構造物内に離間して配置された複数の遠隔トランシーバユニット（ＲＴＵ）のうちの第１のＲＴＵにおいて受信される。データ信号は、ＲＦ電話通信信号から復調され、データ信号および第１のＲＴＵに関連づけられたデータを、ビットまたはシンボルレートで、データレート通信チャネルで、送信する。基地局は、データ信号および関連づけられたデータを受信し、基地局でデータ信号を集約し、通信ネットワークへのバックホールリンクにインターフェースで接続することにより通信を終結させる。
【０００８】
別の態様においては、建物内からの電話通信を、無線で伝達するための装置が提供される。構造物内に離間して配置された複数の遠隔トランシーバユニット（ＲＴＵ）のうちの第１のＲＴＵで、通信デバイスからの無線周波（ＲＦ）電話通信信号を、無線で受信するための手段が提供される。ＲＦ電話通信信号からデータ信号を復調し、かつ、ビットまたはシンボルレートで、データレート通信チャネルで、データ信号および第１のＲＴＵに関連づけられたデータを送信するための手段が提供される。基地局でデータ信号および関連づけられたデータを受信するための手段が提供される。基地局でデータ信号を集約するための手段が提供される。通信ネットワークへのバックホールリンクにインターフェースで接続することにより通信を終結させるための手段が提供される。
【０００９】
追加の態様においては、建物内から無線電話通信を伝達するための装置が提供される。複数の遠隔トランシーバユニット（ＲＴＵ）が、構造物内で離間して配置される。第１のＲＴＵは、通信デバイスからの無線周波（ＲＦ）電話通信信号を、無線で受信し、ＲＦ電話通信信号からデータ信号を復調し、データ信号および第１のＲＴＵに関連づけられたデータを送信する。データレート通信チャネルは、ビットまたはシンボルレートで通信を提供する。基地局は、基地局でデータ信号および関連づけられたデータを受信し、基地局でデータ信号を集約し、通信ネットワークへのバックホールリンクにインターフェースで接続することにより通信を終結させる。
【００１０】
さらなる態様において、構造物内に離間して配置された複数の遠隔トランシーバユニット（ＲＴＵ）のうちの第１のＲＴＵで、通信デバイスからの無線周波（ＲＦ）電話通信信号を、無線で受信するように、コンピュータにさせるための第１の命令のセットを有することを含むコンピュータ可読記憶媒体を含み、建物内からの電話通信を、無線で伝達するためのコンピュータプログラムプロダクトが提供される。第２の命令のセットが、ＲＦ電話通信信号からデータ信号を復調するように、かつ、ビットまたはシンボルレートで、データレート通信チャネルで、データ信号および第１のＲＴＵに関連づけられたデータを送信するように、コンピュータにさせる。第３の命令のセットは、基地局でデータ信号および関連づけられたデータを受信するようにコンピュータにさせる。第４の命令のセットは、基地局でデータ信号を集約するようにコンピュータにさせる。第５の命令のセットは、通信ネットワークへのバックホールリンクにインターフェースで接続することにより通信を終結させるようにコンピュータにさせる。
【００１１】
上述した、および、関連する目的を達成するために、１つまたはそれ以上の態様は、以下に十分に説明され、かつ、特許請求の範囲において特に指摘される特徴を含む。ある特定の例示的な態様を詳細に説明する、以下の説明および添付の図面は、態様の原理が用いられることができる、さまざまな方法のほんの数例を示したものである。他の利点および新規な特徴が、図面とともに考慮されると以下の詳細な説明から明らかになるであろうし、開示された態様は、そのようなすべての態様およびそれらの等価物を含むことが意図されている。
【図面の簡単な説明】
【００１２】
【図１】図１は、通信ネットワークへのバックホールリンクを有する基地局のアグリゲータにコンジットで中継された復調されたデータ信号を用いてアクセス端末と無線で通信するために配置された、複数の遠隔無線周波（ＲＦ）トランシーバノードの例示的な無線通信システムを示す。
【図２】図２は、屋内ＢＴＳ（アグリゲータを有する基地局）への屋外基地トランシーバシステム（ＢＴＳ）のシームレスな統合が、複数のＲＦノード（遠隔トランシーバユニット）によって提供される設備内のカバレッジに提供される、例示的な通信システムを示す。
【図３】図３は、経済的な屋内パーソナル通信サービス（ＰＣＳ）またはセルラーデータ通信のための方法のフロー図を示す。
【図４】図４は、図２の屋内ＢＴＳの例示的な遠隔トランシーバユニット（ＲＴＵ）のブロック図を示す。
【図５】図５は、図４のＲＴＵの受信機部分の一態様のブロック図を示す。
【図６】図６は、複数のＲＴＵでアクセス端末と通信する例示的な屋内基地局のブロック図を示す。
【図７】図７は、建物内からの電話通信を、無線で伝達するための方法のタイミング図を示す。
【図８】図８は、構造内の電話通信を、無線で受信するための分散ＲＦ受信および集中データ信号集約システムのブロック図を示す。
【詳細な説明】
【００１３】
屋内基地トランシーバシステム（ＢＴＳ）は、シンボルデータレートでベースバンドコンジットによって通信する、複数の遠隔トランシーバユニット（ＲＴＵ）またはＲＦノードをモニタする、ネットワークに接続された基地局を有することによって、経済的なカバレッジを提供する。それによって、セルラーまたはパーソナル通信サービス（ＰＣＳ）または他の無線の呼セッションを開始することができ、セッションを維持しながら建物の中央へ歩くことができる。ＢＴＳは、ビットレートでカバレッジのノードを相互接続することによって、費用を減じることができ、シンボルまたはデータレートでカバレッジのノードを相互接続することによって、費用を減じることができる。ＢＴＳは、分離して変調／復調機能を実現することができ、この一部は、ＲＦノードにおいて達成され、一部は、基地局のアグリゲータにおいて達成される。システムのキャパシティは、選択の合成を使用することによって、および、最大比合成を使用することによって、保持されることができる。複数のキャリアが、信号リンクでメッセージ送信すること、および、遠隔ノードで周波数の選択／生成を行うことによって、サポートされることができる。配備は、ノードのカバレッジの重複を許容することによって平易にされることができる。
【００１４】
「例示的な」という語は「例、事例、または実例としての役割を果たすこと」を意味し、ここで使用されている。「例示的な」ものとしてここに説明される任意の実施形態は、他の実施形態よりも好ましい、または、有利であると、必ずしも解釈されるものではない。ここに説明される手法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等といったさまざまな無線通信ネットワークのために使用されることができる。「ネットワーク」および「システム」という用語は、しばしば互換性を持って使用される。ＣＤＭＡネットワークは、ユニバーサル地上波無線アクセス（ＵＴＲＡ）、ｃｄｍａ２０００、等といった無線技術を実現することができる。ＵＴＲＡは、広帯域ＣＤＭＡ（Ｗ−ＣＤＭＡ）およびローチップレート（ＬＣＲ：Low Chip Rate）を含む。ｃｄｍａ２０００は、ＩＳ−２０００、ＩＳ−９５、およびＩＳ−８５６規格をカバーする。ＴＤＭＡネットワークは、移動体通信のための世界システム（ＧＳＭ（登録商標））のような無線技術を実現することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等といった無線技術を実現することができる。ＵＴＲＡ、Ｅ−ＵＴＲＡ、およびＧＳＭは、ユニバーサル移動体電話通信システム（ＵＭＴＳ）の一部である。ロング・ターム・エボリューション（ＬＴＥ）は、Ｅ−ＵＴＲＡを使用した、やがて公開されるＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称する組織による文書において説明されている。ＣＤＭＡ２０００は、「第３世代パートナーシッププロジェクト２」（３ＧＰＰ２）と称する組織による文書において説明されている。これらのさまざまな無線技術および規格は、当該技術で周知である。
【００１５】
ここでは、さまざまな態様が、図面を参照して説明される。以下の説明では、説明の目的で、数多くの具体的な詳細が、１つまたはそれ以上の態様の完全な理解を提供するために、説明される。しかしながら、さまざまな態様がこれらの具体的な詳細なしでも実現されることができるということは明らかでありうる。他の例において、周知の構造物およびデバイスは、これらの態様の説明を容易にするために、ブロック図の形態で示されている。
【００１６】
図１を参照すると、屋内無線アクセスネットワーク（ＲＡＮ）１００が、通信セッションが、より広範な通信ネットワーク１０６と維持されることができるように、ともすればカバレッジを阻害するであろう構造物１０４の内部に、通信デバイス（アクセス端末）１０２の受信を拡張している。屋内ＲＡＮ１００は、建物内からの電話通信を、無線で伝達するための装置を提供する。複数の遠隔トランシーバユニット（ＲＴＵ）（または無線周波（ＲＦ）ノード）１０８が、構造物１０４内に離間して配置されている。第１のＲＴＵ１０８は、アクセス端末１０２からの１１０で表されたＲＦ電話通信信号を、無線で（ＯＴＡ：over-the air）受信し、ＲＦ電話通信信号からデータ信号を復調し、データ信号と、直近のＲＴＵに関連づけられたデータ（たとえば、復調パラメータ、ノード識別子、等）とを送信する。この第１のＲＴＵ１０８は、アクセス端末１０２のカバレッジ範囲内のＲＴＵ１０８のみであることができ、または、最少信号経路損失（減衰）を有するＲＴＵを意味することができる。たとえば、第１のＲＴＵ１０８の受信は、他のＲＴＵ１０８と比較して、近接していること、最少の構造上の障害、または、より少ない近傍干渉ソースによって、利益を得ることができる。データ／シンボルレートコンジット（たとえば、低電圧データ信号（ＳＶＤＳ）イーサネット（登録商標）、ＲＳ２３２、光ファイバー、等）１１２が、各ＲＴＵ１０８と屋内基地局（ＢＳ）１１４との間の通信を提供する。シンボルの形態またはビットの形態のいずれかのデータ信号、ならびに関連データ（たとえば、ノード識別子、電話通信ＲＦ帯域、受信信号強度、等）を受信するための屋内ＢＳ１１４局である。
【００１７】
リバースリンク（ＲＬ）では、屋内ＢＳ１１４は、データ信号を集約するアグリゲータ１１６を有し、それは、最大信号強度を有する第１のＲＦノード１０８を選択することを含むことができる。あるいは、または、さらに、屋内ＢＳ１１４は、たとえば、伝搬遅延に同期することにより、受信されたデータ信号を合成することによって、信号対雑音を向上させることができる。屋内ＢＳ１１４は、通信ネットワーク１０６への、バックホールリンク１１８にインターフェースで接続することにより、電話通信を終結させる。
【００１８】
フォワードリンク（ＦＬ）では、ＢＳ１１４は、データ／シンボルレートコンジット１１２の適切な部分で、データ信号を送信する。たとえば、屋内ＢＳ１１４は、最少経路損失を有する１つのＲＦノード１０８を選択することができる。あるいは、または、さらに、１２０、１２２でそれぞれ表されたセクタの中の、または、構造物１０４全体の中の、各ＲＦノード１０８は、共通フォワードリンクを搬送することができる。一態様において、共通ＦＬは、共通キャリア周波数および共通擬似雑音オフセットまたはスクランブル符号の使用を含む。伝搬によるか、または、屋内ＢＳ１１４によって導入されたか、のいずれかである差動遅延（differential delay）は、ＦＬにダイバーシチを提供することができる。そのようなダイバーシチは、空間ダイバーシチ利得のために、積分ダイバーシチ能力（integral diversity capability）を有するＲＦノード１０８を用いて、または、重複カバレッジを有する２つのＲＦノード１０８の協同によって、達成されることができる。この利得は、（異なるＰＮオフセットまたは異なるＰＮを使用する）２つの異なるカバレッジノード間の真の（true）ソフトハンドオフ利得として、または、ノード１０８においてわずかに異なる時間オフセットを使用すること、および、ダイバーシチ合成のためにＲＡＫＥ受信機を使用することによって実現される時間的な利得として、実現されることができる。
【００１９】
図２を参照すると、別の態様において、通信システム２００は、屋外ＲＡＮ２０６をも含む通信ネットワーク２０４のカバレッジを拡張する屋内ＲＡＮ２０２を含む。たとえば、移動デバイス２０８は、端末体２１２に対し、屋外ＲＡＮ２０６へのＯＴＡリンク２１０を介して、電話通信セッションを開始することができる。電話通信セッションは、移動デバイス２０８が、建物２１４内を、最初は、重複カバレッジエリアを有する複数のＲＦノード２２０、２２２、および第１の屋内基地局（ＢＳ）２１８によってサービスされる第１のセクタ２１６内を、移動するときに、維持されることができる。この描写では、単一のフォワードリンク２２４が、屋内ＢＳ２１８のアグリゲータ２２６がノード選択を行っている状態で、描かれている。移動デバイス２０８は、複数のＲＦノード２３２、２３４を有する別の屋内ＢＳ２３０によってカバーされる別のセクタ２２８に移動することができる。この例において、移動デバイス２０８は、ノード２３２へのリバースリンク２３６がノード２３４とのリバースリンク２３８よりも大きい受信信号強度であるにもかかわらず、ノード２３２、２３４の両方を介して通信することができる。
【００２０】
各ノード２２０，２２２，２３２，２３４は、屋外ＲＡＮ２０６と同一または同様の通信プロトコルを用いて移動デバイス２０８と相互に作用するＲＦコンポーネント２４０を、有利に有することができるが、パワー制御は、建物の部分に適切なカバレッジエリアを提供するために、有利に減少させられることができる。復調された通信シンボルまたはビットは、その次に、アグリゲータ２２６で受信されるイーサネット（登録商標）ＣＡＴ５ケーブルのようなネットワークデータコンジット２４４を通じて、ベースバンドにおける低電圧データシンボルとして、デジタルインターフェース２４２によって送信されることができる。屋内ＢＳ２１８のデータネットワークインターフェース２４６は、通信ネットワーク２０４の基地局制御装置システム（ＢＳＣ）または無線ネットワーク制御装置（ＲＮＣ）（図示せず）に、または、別のＢＳ２３０に、バックホール２４８によって、連結される。
【００２１】
現代のデジタルセルラー２Ｇおよび３Ｇシステムにおいて、現実の要求は、ビットレートまたはシンボルレートで情報を運ぶことであり、それは、無線帯域幅をデジタル化するために要求されるレートよりも著しく遅い。ビットまたはシンボルレートで情報を運ぶことを実現させることによれば、コンポーネントおよびケーブルの費用が、かなり減じられる。基地局２１８、２３０で変調および復調せずに、ＲＦノード２２０、２２２、２３２、２３４が、変調／復調を行う。有利にも、屋内ＲＡＮ２０２は、複数のソース（たとえば、基地局２０６、２１８、２３０）からのフォワードリンクでの同一データの同時送信を要求するソフトハンドオフをサポートすることができる。同様に、リバースリンク動作が、複数の受信機（たとえば、基地局２０６、２１８、２３０）での同時受信によって向上させられる。この要求は、不必要な干渉によってシステムキャパシティを減じることなく同様の能力を有することによって、満たされる。さらに、屋内ＲＡＮ２０２は、マルチパスを解決することができ、それは、各無線経路に、シンボルを復調することのできる複数の受信機（たとえば、セクタ２２８におけるノード２３２、２３４）を有することを含むことができるので、シンボルのエネルギーは、受信された信号の信号対雑音比（ＳＮＲ）を向上させるように合成されることができる。無線信号をシンボルまたはビットレベルに変調および復調することができるＲＦノード（遠隔トランシーバユニット）２２０、２２２、２３２、２３４と基地局２１８、２３０との間で、機能を分離することによって、基地局２１８のアグリゲータ２２６は、複数のノード２２０、２２２からのシンボルまたはビットを収集してシンボルの合成またはビットの選択を行うことができ、通常の信号送信およびソフトハンドオフ機能を実現させるように通常の基地局構造において協同することができる。
【００２２】
このように、ビットまたはシンボルレートで現在通信しているノード２２０、２２２、２３２、２３４により、ノード２２０、２２２、２３２、２３４とアグリゲータ２２６との間の要求されるデータレートは、建物を通るように高い帯域幅のＲＦ信号を経路指定しなくてはならないことよりも、大きく減じられる。これは、より一層高価でない相互接続方式の使用を許容する。たとえば、１つの低価格な実現は、ＣＡＴ５ワイヤ、マルチモードファイバー、およびイーサネットのプロトコルの使用を伴うことができる。屋内ＲＡＮ２０２が、シンボルレートで動作する場合には、アグリゲータ２２６は、真の軟判定最大比合成を行うことができ、最大の空間利得を達成することができる。いくつかの態様において、このアプローチは、シンボルレートがビットレートの数倍（すなわち、典型的には２倍乃至４倍）であって、これらのシンボルはそれらの信号強度または品質を示すために重みづけされること、および、重みづけが、また、データレート（通常は、１シンボルあたり数ビット）を増加させること、を要求することができる。屋内ＲＡＮ２０２がビットレートで動作する場合には、アグリゲータ２２６は、選択の合成を行うことに限定されることができ、それは、真のソフトハンドオフよりも強力ではないが、なおもリンクにおける大いなる向上である。ビットレート方式の使用は、ノード２２０、２２２、２３２、２３４とアグリゲータ２２６との間のデータレートを最小化する。
【００２３】
従来のセルラーシステムは、要求されたトラヒック負荷をサポートするために、複数の無線リンク（たとえば、チャネル、キャリア、周波数の割り当て）を典型的に要求する。これらの特徴は、建物の外で開始された呼が複数のキャリアのうちのいずれか１つに乗る可能性があるため、室内の実現を複雑化しうる。電話のユーザーが、建物２１４に移行すると、室内システム（屋内ＲＡＮ２０２）が、屋内ＲＡＮ２０２によってサポートされるキャリアへのハードハンドオーバーを行うことができ、それは、屋外ＲＡＮ２０６によってサポートされるもののサブセットであることができる。同一のキャリアがサポートされている場合、ソフトハンドオフが行われることができる。ノード２２０、２２２、２３２、２３４と屋内ＢＳ２１８、２３０との間の追加の信号送信を含むことによって、指標が、ノード２２０、２２２、２３２、２３４がシンボル／ビットストリームをどのキャリアへマッピングすべきかについて、なされることができる。あるいは、単一のキャリアが、全体のビットレートを減じるために、屋内ＲＡＮ２０２をサポートすることができる。複数のキャリアをサポートするための要求は、建物２１４が提示する典型的な負荷を鑑みて、不当であると考えられる場合がある。屋外システム（たとえば、ＲＡＮ２０６）は、大きなカバレッジフットプリントを有することができるので、それらは、多数のユーザーをカバーし、複数のキャリアのキャパシティは、要求された負荷によく適合する。典型的な建物２１４は、大きなセルが含むであろう、その同数のユーザーを提示しない。ゆえに、建物２１４においてセルを配置することの経済面は、典型的に説得力のあるものではない。ここに提示される有利な解決策は、集約された負荷が複数のキャリアのキャパシティによく適合するように、多くの場所で複数のノード２２０、２２２、２３２、２３４を使用することである。相互接続の費用を減じることによって、経済的なサービスが達成される。建物２１４の無線リンクのカバレッジを計画することは、さもなければ困難かつ冗長であることがわかるであろう。低価格の相互接続の費用（たとえば、ＣＡＴ５ワイヤ／イーサネットプロトコル）を用いる低価格のノード２２０、２２２、２３２、２３４の使用は、カバレッジの重複の費用および動作において寛容であることによって、このセットアップ諸費用を減じる。たとえば、屋内ＢＳ２１８、２３０は、仮想ソフトハンドオフを達成するために、ソフトハンドオフまたは迅速な選択の合成を行うことができる。共通セクタ２１６、２２８を代表する多くのノード２２０、２２２、２３２、２３４によって、配備が平易にされることができる。
【００２４】
図３は、特許請求の主題に係る方法および／またはフロー図を示している。説明を簡潔にするために、方法は、一連の動作として描写および説明されている。主題の革新が、示された動作によって、および／または、動作の順序によって、限定されないことが理解および認識されるであろう。たとえば、動作は、さまざまな順序で、および／または、並行して、起こることができ、他の動作は、ここに提示および説明されない。さらに、示されたすべての動作が、特許請求の主題に係る方法を実現するために要求されうるわけではない。さらに、当業者は、方法が、あるいは、状態図およびイベントにより、一連の相互に関連する状態として、表されることもできるということを理解および認識するであろう。また、以下に、および、本明細書を通して開示される方法は、そのような方法をコンピュータに移送および転送することを容易にするための製造物に記憶されることができるということがさらに理解されるべきである。製造物という用語は、ここで使用される場合、任意のコンピュータ可読デバイス、キャリア、または媒体からアクセス可能なコンピュータプログラムを含むことを意図している。
【００２５】
図３において、方法３００は、経済的な屋内ＰＣＳ／セルラー通信について描写されている。屋内基地局は、構造物内の各セクタに離間して配置された複数のＲＦノードをモニタする（ブロック３０２）。１つまたはそれ以上のＲＦノードは、シンボルまたはビットレートで情報を検出するために、移動デバイスからのＰＣＳまたはセルラーＯＴＡ信号を復調する（ブロック３０４）。（単数または複数の）ＲＦノードは、受信されたパワーを検出することができる（ブロック３０６）。（単数または複数の）ＲＦノードは、移動デバイスに、フォワードおよびリバースリンクを維持するためのセッションに関する他の情報（たとえば、周波数帯域）を関連づけることができる（ブロック３０８）。（単数または複数の）ＲＦノードは、例として、低電圧データ信号（ＬＶＤＳ）コンジットのような、低データレート通信経路にわたり、関連づけられたデータとともに、シンボルレートまたはデータレートで情報を送信する（ブロック３１０）。
【００２６】
基地局は、送信された情報が、別のセクタに現在割り当てられているセッションに、関係があるかどうかを判定する（ブロック３１２）。もしそうである場合、フォワードリンク（ＦＬ）を維持する送信（ＴＸ）ノードは、別のノードに変更される（ブロック３１４）。もしそうでない場合、さらなる判定が、別の基地局からのソフトまたはハードハンドオーバーが保証されるかどうかについて、行われる（ブロック３１６）。もしそうである場合、適切なＴＸノードがＦＬのために選択され（ブロック３１８）、ソフト／ハードハンドオーバー手順が行われる（ブロック３２０）。もしセクタまたは基地局を変更する必要がない場合には、現在のＴＸノードは、近傍リストにおいて維持される（ブロック３２２）。
【００２７】
基地局は、最も強い／最も正確な情報を選択するために、または、複数のＬＶＤＳチャネルで受信されたものと同期および合成することによって、さらにＳＮＲを向上させることができるために、異なるＲＦノードから受信されたシンボル／ビットレート信号を集約する（ブロック３２４）。電話通信セッションは、ネットワークにバックエンド通信によって情報を経路指定することにより維持され（ブロック３２６）、そしてそれは、ＦＬについての情報に応答する（ブロック３２８）。電話通信セッションについての関連づけられた情報（たとえば、帯域、割り当てられたＴＸノード、等）がアクセスされる（ブロック３３０）。情報は、ＦＬのために割り当てられた（単数または複数の）ＴＸノードに、（単数または複数の）適切なＬＶＤＳコンジットによって、シンボルまたはデータレートで経路指定される（ブロック３３２）。受信する（単数または複数の）ＴＸノードは、移動デバイスへのＯＴＡ送信についての受信されたシンボル／ビットをＲＦ変調することによって応答する（ブロック３３４）。この変調は、ソフトハンドオーバーおよびセクタ化の必要を最小化するために、他のＲＦノードの、同一の擬似雑音（ＰＮ）オフセット、キャリア周波数、および／またはスクランブル符号を有利に使用することができる。
【００２８】
図４において、１つの態様では、遠隔トランシーバユニット（ＲＴＵ）またはＲＦノード４００が、プライマリトランシーバアンテナ４０２およびダイバーシチアンテナ４０４を有するデバイスを含むことができる。送信（ＴＸ）部４０６および受信（ＲＸ）部４０８は、ＰＣＳ帯域およびセルラー帯域通信をどちらもサポートすることができる。コネクタインターフェース４１０は、ＲＦノード４００と基地局のベースバンドデータコンジット（図示せず）間で、信号を経路指定する。
【００２９】
ＴＸ部４０６の例示的な実現において、マルチチャネルデジタルアナログコンバータ（ＤＡＣ）デバイス（たとえば、ＡＤ９７４６）４１２は、デュアルバンド送信機４２０（たとえば、カリフォルニア州サンディエゴのクゥアルコム社によるＲＦＴ６１５０送信機）へ（たとえば、単極または双極の）ローパスフィルタ（ＬＰＦ）４１８を通って進む差動ＴＸ Ｉ信号を生成するＤＡＣ４１４と補助ＤＡＣ４１６を含む。ＤＡＣ４２２および補助ＤＡＣ４２４は、デュアルバンド送信機４２０へＬＰＦ４２６を通って進む差動ＴＸ Ｑ信号を生成する。デュアルバンド送信機４２０のセルラーＴＸ出力は、セルＴＸバンドパスフィルタ（ＢＰＦ）４２８（たとえば、MURATAによるモデルSAFEF881MAL0F00R00）を通り、固定されたパッドセル４３０（たとえば、６ｄＢ）を通り、差動増幅器（ＤＡ）４３２（たとえば、AVONによるモデルMGA81563）を通り、パワー増幅器（ＰＡ）４３４（たとえば、ANALDIGICSによるモデルAWT6273）を通り、パワー検出器４３６およびアイソレータ４３８（たとえば、セルあたり０．６５ｄＢ）を通り、帯域選択器４４２によってアンテナ４０２に接続されることができるセルラー帯域デュプレクサ４４０（たとえば、MURATAによるモデルDFYH9836MHFJBA-TM1）へと、進む。同様にして、デュアルバンド送信機４２０のＰＣＳ ＴＸ出力は、ＰＣＳ ＴＸ ＢＰＦ４４４（たとえば、FUJITSUによるモデルFAR-F6EA-1G9600-A2NYQ）を通り、固定されたパッドセル４４６（たとえば、ＰＣＳあたり６ｄＢ）、ＤＡ４４８、ＰＡ４５０（たとえば、ANADIGICSによるモデルAWT6279）、パワー検出器４５２、およびアイソレータ４５４（たとえば、０．５ｄＢ）を通り、帯域選択器４４２によってアンテナ４０２に接続されることができるＰＣＳ帯域デュプレクサ４５６（たとえば、MURATAのモデルDFYHA1G88HFHAB-TM1）へと、進む。
【００３０】
ＲＸ部４０８については、アンテナ４０２から受信された信号は、セル帯域デュプレクサ４４０を通り、可変減衰器（ＡＴＴ）４５８、フィルタ４６０を通り、デュアルバンド受信機４６２（たとえば、カリフォルニア州サンディエゴのクゥアルコム社のモデルＲＦＲ６５００）へと、進む。この信号経路は、フィルタ４６４を通って進む。デュアルバンド受信機４６２によって行われた復調は、アナログデジタルコンバータ（ＡＤＣ）デバイス４６６を通って、基地局へのベースバンドデータコンジット（図示せず）へのコネクタインターフェース４１０へと、進む。ＰＣＳ帯域デュプレクサ４５６は、受信されたＲＦ信号を、可変減衰器４６８へ、フィルタ４７０を通ってデュアルバンド受信機４６２に取り付けられたこの信号のためのフィルタ４７２へと、経路指定することができる。帯域選択器４７４によって選択されたダイバーシチアンテナ４０４によって受信されたＲＦ信号は、セルラーダイバーシチフィルタ４７６を通って可変減衰器４７８へ、フィルタ４８０を通ってデュアルバンド受信機４６２へと、進む。帯域選択器４７４は、ＰＣＳダイバーシチフィルタ４８２へのＰＣＳ ＲＦ信号を、可変減衰器４８８を通り、フィルタ４９０を通って、デュアルバンド受信機４６２へ、経路指定することができる。
【００３１】
ＩＤコードまたは番号は、ＲＴＵ４００から進むデジタル信号のソースおよびターゲットを識別するために、コネクタインターフェース４１０からアクセス可能な電気的に消去可能・プログラム可能な読取専用メモリ（ＥＥＰＲＯＭ）４９４において記憶される。温度補償型／電圧制御型の水晶発振器（ＴＣＶＣＸＯ）４９６は、ＲＴＵ４００のさまざまなコンポーネントによって使用される。
【００３２】
図５において、受信機部５０８の特定の態様は、２つの帯域（すなわち、ＰＣＳ、セルラー）のうちの１つのための１つのＲＦ処理を描写している。フロントエンド５１０は、フィルタ５１４を通って、可変減衰器５１６（たとえば、HITTITEのモデルHMC288MS8）、固定されたパッド５１８（たとえば、各抵抗器を介して接地された各端子を有する直列抵抗器）、弾性表面波（ＳＡＷ）フィルタ５２０へと進む、プライマリアンテナ（図示せず）からの５１２のプライマリＲＦ信号（ＰＲｘ）を含む。５２２で描写されたダイバーシチアンテナ（図示せず）からのダイバーシチＲＦ信号（ＤＲｘ）は、ＰＣＳ  ＴＸ  ＢＰＦ５２４を通り、可変減衰器５２６を通って固定されたパッド５２８へ、ＳＡＷフィルタ５３０を通って進む。
【００３３】
中間部５３２において、デュアルバンド受信機５０８（たとえば、カリフォルニア州サンディエゴのクゥアルコム社のモデルRFR6500 CD90-V7420-3C）を有する。ＳＡＷフィルタ５２０から受け取られたものは、受信機５０８の増幅器５３６を通り、その次に、別の増幅器５４０に差動出力を供給する付加的なＳＡＷフィルタ５３８、復調ミキサ５４２、フィルタ５４４を通り、進む。ＳＡＷフィルタ５３０からのＤＲｘ信号は、増幅器５４６を通り、復調ミキサ５４８を通り、フィルタ５５０を通って進む。復調されたＰＲｘおよびＤＲｘの両方は、その次に、ＡＤＣデバイス５５４を含むバックエンド５５２に供給されて、出力５５６となり、それは、低ビットまたはシンボルレートの信号への変換のための復調器（図５に図示せず）へ向かうベースバンドまたは低周波ＩＦ（中間周波数）に変換されたサンプルＲＦである。
【００３４】
図６は、屋内基地局（ＢＳ）６０２によって管理されるＲＦノード（遠隔トランシーバユニット（ＲＴＵ））６０３の屋内ネットワークによって、セルラーネットワーク（図示せず）と移動デバイス６０４をインターフェースで接続することができる屋内基地局（ＢＳ）または屋内基地トランシーバシステム（ＢＴＳ）６０２を有するシステム６００の例である。各ＲＴＵ６０３は、複数の受信アンテナ６０６によって移動デバイス６０４から（単数または複数の）信号を受信する受信機コンポーネント６０５を有する。ノード６０３は、また、１つまたはそれ以上の送信アンテナ６０８によって（単数または複数の）移動デバイス６０４に送信する送信コンポーネント６０７を含む。受信機コンポーネント６０５は、受信アンテナ６０６から情報を受信することができる。受信機コンポーネント６０５および送信コンポーネント６０７は、どちらも、移動デバイスまたは他のＢＳデバイスと相互に作用するために、ＷＬＡＮ、ＢＰＬ、イーサネット、ＵＭＴＳ ＴＤＤ、またはＵＭＴＳ ＴＤＤスペクトル通信能力によるＷＬＡＮを含みうるということが理解されるべきである。
【００３５】
受信機コンポーネント６０５は、受信された情報を復調する復調器６０９と、動作可能に関連づけられている。復調されたシンボルまたはビットは、関連づけられたデータ（たとえば、受信信号強度／パワー、ノード識別子、ＰＣＳ／セルの帯域、等）を用いてタグを付けられ、ＬＶＤＳコンジット６１３で、シンボルまたはデータレートで、データインターフェース６１１により送信される。
【００３６】
基地局６０２のデータネットワークインターフェース６１５は、複数のＬＶＤＳコンジット６１３からシンボル／ビットレートを受信し、そしてシンボル／ビットレートは、フォワードリンクに対する（たとえば、送信および／または経路指定命令の形態で）付加的な信号を生成することができるネットワークプロセッサ６１７に経路指定される。特に、ネットワークプロセッサ６１７は、変調器６１９による変調、および送信コンポーネント６０７によって送信されるために、データネットワークインターフェース６１５を介して信号をシンボルまたはデータレートで経路指定する。さらに、ネットワークプロセッサ６１７は、メモリ６２０に結合されることができる。メモリ６２０は、それぞれ、ＢＳネットワークを維持し、そして。ＢＳデバイス間におよび／または接続された移動デバイスに対して情報を送るためのアプリケーションモジュール６２１、６２３として描写された、有線および／または無線通信を実行することに関連する情報、および／または、ここに説明されているさまざまな動作および機能を行うことに関連する任意の他の適切な情報を記憶する。
【００３７】
ネットワークプロセッサ６１７は、ソフトまたはハードハンドオフといった目的のために、（たとえば、セルラーネットワークへの直接接続による、またはインターネットによる）セルラーネットワークへの転送のために、近傍のＢＳ（図示せず）へ、ＢＳ６０２と移動デバイス６０４との間の通信リンクに関連づけられたトラヒックのうちの少なくとも一部を経路指定することができる。さらに、ネットワークプロセッサ６１７は、ＩＰアップロードリンク６３０（たとえば、ＡＤＳＬ、ＶＤＳＬ、ＨＤＳＬ、等のＤＳＬ接続、ケーブルＩＰ接続、ＢＰＬ接続）を有するＩＰルータ６２６によってセルラーネットワークに、直接、（たとえば、所定の移動デバイス、または移動デバイスのグループ、等によって生成された）ＢＳ６０２と提携するトラヒックを仕向けるように、構成されている。さらに、データは、ＩＰダウンロードリンク６２８（たとえば、ＤＳＬ６３２、ケーブル、ＷｉＦｉ，ＢＰＬ、イーサネット６３４）を介してセルラーネットワークから受信されることができ、ＢＳ６０２と提携する移動デバイス６０４に仕向けられることができる。
【００３８】
メモリ６２０は、ＢＳネットワーク内でデータを形成、維持および／または経路指定するための命令を生成するアプリケーションモジュールを含むことができる。具体的には、メモリ６２０は、ＢＳ６０２と近傍のＢＳ（図示せず）との間のセルラー関連トラヒックを指示するためのＢＳ間アプリケーションモジュール６２１を含むことができる。さらに、メモリ６２０は、接続性マップ６３５（たとえば、ハンドオフおよびマルチホップ管理のために、セルラーネットワークＲＮＣに経路指定されることができる近傍リスト）をコンパイルするために、ＢＳ６０２と（単数または複数の）近傍のＢＳとの間の接続性をマッピングするＢＳ間接続性アプリケーションを含むことができる。そのような接続性マップ６３５は、ＢＳ６０２または近傍のＢＳ、またはその両方に関連づけられた、同時に起こる伝搬、負荷、サービス品質（ＱｏＳ）、または稼働率のパラメータ、または、これらの、または、同様の、パラメータの組み合わせを確立することができる。さらに、音声またはデータトラヒックの両方に関連づけられた、異なるレベルのそのようなパラメータは、接続性マップ６３５内でコンパイルされることができる。
【００３９】
上述したことに加えて、受信機コンポーネント６０５および送信コンポーネント６０７は、免許が付与されていない周波数または有線接続によって通信するＩＰルータ６２６（たとえば、ＷＬＡＮルータ、ＬＡＮルータ、等）によって、ＢＳネットワークの他のＢＳデバイスへ／から、または、（たとえば、ＩＰアップロード６３０および／またはＩＰダウンロード６２８を介して）セルラーネットワークへ／から、さまざまな情報を、それぞれ受信および送信することができる。たとえば、受信機コンポーネント６０５は、ＢＳネットワーク上の各ＢＳ６０２についてのＢＳ間接続性パラメータを表示するセルラーネットワークＲＮＣ（図示せず）からのＢＳネットワークマップ６３５を受信することができる。そのようなパラメータは、ＢＳネットワーク内からのセルラートラヒックのマルチホップ経路指定を調整するために利用されることができる。さらに、そのような経路指定、または（単数または複数の）移動デバイス６０４とのソフトハンドオフの管理のための命令が、ＲＮＣから受信されることができる。さらに、ＢＳ間接続性パラメータは、（たとえば、ネットワークプロセッサ６１７によって生成され、送信コンポーネント６０７によって送信される同報送信クエリーにより）他のＢＳデバイス自体から受信されることができる。そのような場合、ＢＳ間接続性アプリケーション６２３は、（上述した）接続性マップに、他のネットワーク化されたＢＳデバイスに関連づけられた接続性パラメータを含むことができる。そして、接続性マップ６３５は、ここに説明されたように、ソフトハンドオフおよび／またはマルチホップ経路指定を指示するために、ネットワークプロセッサ６１７によって利用されることができる。
【００４０】
メモリ６２０は、また、シンボルレート／ビットレートを選択する、または、複数のシンボルまたはデータレートを同期化および合成する集約コンポーネント６４０を含むものとして描写されているように、複数のＲＦノード６０３を管理するモジュール、コード、または命令を実行する。基地局ハード／ソフトハンドオーバー６４２は、移動デバイス６０４が、屋外ＲＡＮ（図示せず）間で建物の外部で行われるＲＬおよびＦＬのソフトまたはハードハンドオーバーを行うことができるように、建物内ならびに外部のＲＮＣとの両方のプロトコルをサポートする。セクタ追跡／転送コンポーネント６４４は、ＦＬの割り当てを向上させ、ハンドオーバーを容易にするために、移動デバイスセッションの割り当ておよび受信信号強度を追跡する。
【００４１】
図７において、方法７００は、より少ない経路損失を有する第１の遠隔トランシーバユニット（ＲＴＵ）７０６、および重複するセクタ内の第２のＲＴＵ７０８を介して、建物（「構造物」）７０４内からの無線電話通信（たとえば、セルラーまたはＰＣＳ）を伝達する通信デバイス７０２を提供する。ＲＴＵ７０６、７０８は、基地局（ＢＳ）７１０に通信チャネルを通じてビットレートまたはシンボルレートで通信する、構造物７０４で離間して配置された複数のＲＴＵであり、それは、基地局制御装置（ＢＳＣ）または無線ネットワーク制御装置（ＲＮＣ）といった通信ネットワーク７１２への構造物７０４の外部での通信セッションを終了させることができる。７２０で描写されているように、建物内からの無線（ＯＴＡ）電話通信を伝達するための第１のＲＴＵ７０６は、通信デバイス７０２からの無線周波（ＲＦ）電話通信信号を、無線で受信することができる。いくつかの例では、７２２で描写されているように、第２のＲＴＵ７０８は、また、実例として減少した受信信号強度および増加した伝搬遅延であることができる、通信デバイス７０２からのＯＴＡ電話通信を受信する。７２４で、第１のＲＴＵ７０６は、ＲＦ電話通信信号からデータ信号を復調する。７２６で、他のＲＴＵ７０８は、ＲＦ電話通信信号からデータ信号を復調する。７２８で、直近のＲＴＵ７０６は、基地局７１０へ、データレート通信チャネルで、直近のＲＴＵ７０６についての関連づけられたデータ（たとえば、ＲＴＵ７０６についての帯域、識別子）とともに、ビットレートまたはシンボルレートのいずれかで、データ信号を送信する。７３０で、第２のＲＴＵ７０８は、基地局７１０へ、データレート通信チャネルで、他のＲＴＵ７０８についての関連づけられたデータとともに、ビットレートまたはシンボルレートのいずれかで、データ信号を送信する。
【００４２】
ブロック７３２で描写されているように、基地局は、信号品質を向上させるために、受信されたデータ信号を集約する。そのような集約は、受信されたデータ信号間の遅延を補償することを含むことができる（ブロック７３４）。データ信号レートの倍数であるシンボルレートでの受信されたデータ信号のそのような集約は、増加した空間利得のために、基地局で軟判定最大比合成を行う(ブロック７３６)。さらに、シンボルレートは、どのようにして集約するか、どのようにして通信デバイス７０２に返送するかを決定する際に、信号強度または品質の指標（たとえば、受信信号強度指標（ＲＳＳＩ））として重みづけされることができる（ブロック７３８）。７４０で、ＢＳ７１０は、通信ネットワーク７１２と、適宜、呼セッションを終了させる。新たな、または、フェージングする呼セッションのために、そのようなネットワーク通信は、バックホールリンクを通じての調整を介して、屋外基地トランシーバ局（ＢＴＳ）と通信デバイス７０２の電話通信セッションのハンドオーバーを容易にすることを含むことができる（ブロック７４２）。ブロック７４４で、ＢＳ７１０は、通信デバイス７０２へデータ信号を返送するために第１のＲＴＵ７０６を選択し、それは、７４６でＢＳ７１０から第１のＲＴＵ７０６に送信される。直近のＲＴＵ７０６は、７４８で描写されているように、通信デバイス７０２へのフォワード（ダウンリンク）データ信号をＲＦ変調する。有利に、以前の送信が、より近い通信デバイス７０２へ第２のＲＴＵ７０８を介して行われたことを考慮して、ＢＳ７１０は、また、今度は第１のＲＴＵ７０６を使用するように決定する際に、セクタ転送追跡（ブロック７５０）を容易にすることができる。７５２で描写されているように、ＢＳ７１０は、また、ブロック７５４で、モジュールに、第２のＲＴＵ７０８を使用して、ダイバーシチのために、フォワードリンク送信において、差動遅延を導入することができる。ブロック７５６で描写されているように、ＲＴＵ７０６、７０８は、ソフトハンドオーバー要求を回避するために、通信デバイス７０２への共通ＲＦチャネルを利用することができる。有利に、ＲＴＵ７０６、７０８は、共通キャリア周波数、および、共通擬似雑音オフセットまたは共通スクランブル符号のいずれかを使用することによって、共通ＲＦチャネルを利用することができる（ブロック７５８）。
【００４３】
図８において、分散ＲＦ受信および集中データ信号集約システム８００は、バックホールリンク８０９を介して通信ネットワーク８０８にインターフェースで接続する基地局（ＢＳ）８０６と、データ通信チャネル（たとえば、低電圧データ信号（ＳＶＤＳ）イーサネット、ＲＳ２３２、光ファイバー、等）８０４を介して双方向通信を行う、遠隔トランシーバユニット（ＲＴＵ）８０２を含む。
【００４４】
ＲＴＵ８０２は、セルラー／ＰＣＳ ＲＦモジュール８１０を有し、それは、コンピュータのプラットフォーム８１６のプロセッサ８１４の制御下である通信デバイス８１２を用いて、空中リンク８１１を介して通信するためのものである。コンピュータ可読記憶媒体８１８は、ＲＦ通信を行うように、かつ、ＢＳ８０６と通信チャネル８０４を介してデジタルで通信するように、コンピュータのプラットフォーム８１６のようなコンピュータに、させるためのプログラムモジュール、または命令のセットを含む。特に、モジュール８２０は、構造物内に離間して配置された複数の遠隔トランシーバユニットのうちの第１のＲＴＵで、通信デバイスからの無線周波（ＲＦ）電話通信信号を、無線で受信するためのものである。モジュール８２２は、ＲＦ電話通信信号からデータ信号を復調し、ビットまたはシンボルレートでデータレート通信チャネル８０４によってデータ信号およびＲＴＵ８０２に関連づけられたデータを送信するためのものである。
【００４５】
ＢＳ８０６は、ＲＴＵ８０２との、および、通信ネットワーク８０８とのデータ通信をコンピュータのプラットフォーム８２８のようなコンピュータに行なわせるための、コンピュータ可読記憶媒体８１８におけるプログラムモジュールまたは命令のセットを実行するプロセッサ８２６の制御下のコンピュータのプラットフォーム８２８を有する。たとえば、モジュール８３０は、基地局８０６でデータ信号および関連づけられたデータを受信するためのものである。モジュール８３２は、基地局８０６でデータ信号を集約するためのものである。モジュール８３４は、通信ネットワーク８０８へのバックホールリンク８０９にインターフェースで接続することにより通信を終結させるためのものである。
【００４６】
本明細書は、本発明の特定の例を説明しているが、当業者は、発明概念から逸脱することなく、本発明の変形例を考案することができる。たとえば、ここでの教示は、回路交換ネットワーク要素に言及しているが、パケット交換領域ネットワーク要素にも同様に適用可能である。
【００４７】
当業者は、情報および信号が任意のさまざまな異なる技術および手法を使用して表されうるということを、理解するであろう。たとえば、上記の説明を通して言及されうるデータ、命令、コマンド、情報、信号、ビット、シンボル、およびチップは、電圧、電流、電磁波、磁場または磁性粒子、光場または光粒子、または任意のそれらの組み合わせによって表されることができる。
【００４８】
当業者は、ここに開示された例に関連して説明された、さまざまな例示的な論理ブロック、モジュール、回路、方法、およびアルゴリズムが、電子ハードウェア、コンピュータソフトウェア、または両者の組み合わせとして実現されうるということを、さらに理解するであろう。ハードウェアとソフトウェアとの、この相互互換性をわかりやすく示すために、さまざまな例示的なコンポーネント、ブロック、モジュール、回路、方法、およびアルゴリズムが、概してそれらの機能の点で、上述されている。そのような機能がハードウェアまたはソフトウェアとして実現されるかどうかは、システム全体に課された特定の用途および設計の制約による。当業者は、特定の用途ごとに異なる方法で、説明された機能を実現することができるが、そのような実現の決定は、本発明の範囲から逸脱を生じるものと解釈されるべきではない。
【００４９】
ここに開示された例に関連して説明された、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはここに説明された機能を実行するように設計された、それらの任意の組合せを用いて、実現または実行されることができる。汎用プロセッサは、マイクロプロセッサであることができるが、あるいは、プロセッサは、任意の従来のプロセッサ、制御装置、マイクロ制御装置、またはステートマシンであることができる。プロセッサは、また、コンピュータデバイスの組み合わせ、例えば、ＤＳＰと、１つのマイクロプロセッサ、複数のマイクロプロセッサ、ＤＳＰコア併用型の１つまたはそれ以上のマイクロプロセッサとの組み合わせ、または任意の他のそのような構成として実現されることができる。
【００５０】
ここに開示された例に関連して説明された方法またはアルゴリズムは、ハードウェアにおいて直接的に、プロセッサによって実行されるソフトウェアモジュールにおいて、または両者の組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルデスク、ＣＤ−ＲＯＭ、または当該技術で周知の任意の他の形態の記憶媒体内に存在することができる。記憶媒体は、プロセッサが記憶媒体から情報を読み出すことができ、かつ、記憶媒体に情報を書き込むことができるように、プロセッサに結合されることができる。あるいは、記憶媒体は、プロセッサに統合されることができる。プロセッサおよび記憶媒体は、ＡＳＩＣ内に存在することができる。
【００５１】
１つまたはそれ以上の例示的な実施形態において、説明された機能は、ハードウェア、ソフトウェア、ファームウェア、またはそれらの任意の組み合わせにおいて実行されることができる。ソフトウェアにおいて実行される場合、機能は、コンピュータ可読媒体の１つまたはそれ以上の命令またはコードとして、記憶または伝送されることができる。コンピュータ可読媒体は、ある場所から別の場所へのコンピュータプログラムの移送を容易にする任意の媒体を含む通信媒体およびコンピュータ記憶媒体の両方を含む。記憶媒体は、コンピュータによってアクセス可能な任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、またはコンピュータによってアクセスされることができ、かつ、命令またはデータ構造の形態で所望のプログラムコードを搬送または記憶するために使用されることができる、任意の他の媒体を含むことができる。また、任意の接続も、厳密にはコンピュータ可読媒体と呼ばれる。たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他の遠隔ソースから伝送される場合には、同軸ケーブル、光ファイバーケーブル、ツイストペア、ＤＳＬ、または赤外線、無線、およびマイクロ波といった無線技術が、媒体の定義に含まれる。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生するが、ディスク（disc）は、レーザーによって光学的にデータを再生する。上記したものの組み合わせも、また、コンピュータ可読媒体の範囲内に含まれるべきである。
【００５２】
開示された例の先の説明は、本発明を製造または使用することをいずれの当業者にも可能にさせるように提供されている。これらの例へのさまざまな変更は、当業者には容易に理解され、ここに定義された一般的な原理は、本発明の精神または範囲から逸脱することなく他の例に適用されることができる。このように、本発明は、ここに示された例に限定されることを意図しないが、ここに開示された原理および新規な特徴と一致する最も広い範囲が与えられる。
下記に出願時の請求項１−２４に対応した記載を付記１−２４として表記する。
付記１
構造物内に離間して配置された複数の遠隔トランシーバユニット（ＲＴＵ）のうちの第１のＲＴＵで、通信デバイスからの無線周波（ＲＦ）電話通信信号を無線で受信することと、
前記ＲＦ電話通信信号からデータ信号を復調すること、および、ビットまたはシンボルレートで、データレート通信チャネルで、前記データ信号および前記第１のＲＴＵに関連づけられたデータを送信することと、
前記基地局で、前記データ信号および関連づけられたデータを受信することと、
前記基地局で、前記データ信号を集約することと、
通信ネットワークへのバックホールリンクにインターフェースで接続することにより、通信を終結させることと
を含む、建物内から無線電話通信を伝達するための方法。
付記２
前記第１のＲＴＵから前記データ信号および関連づけられたデータを受信すること、および、重複するカバレッジエリアを有する別のＲＴＵから前記データ信号の遅延バージョンを受信することと、
信号品質を向上させるために、両方のＲＴＵからの前記データ信号を集約することと
をさらに含む、付記１に記載の方法。
付記３
データ信号レートの倍数であるシンボルレートで前記基地局に前記データ信号を送信することと、
増加した空間利得のために、前記基地局で、軟判定最大比合成を行うことと
をさらに含む、付記２に記載の方法。
付記４
受信信号強度または品質の指標として、前記シンボルレートを重みづけすることをさらに含む、付記３に記載の方法。
付記５
セルラー帯域およびパーソナル通信サービス（ＰＣＳ）帯域のうちの選択された１つのＲＦ電話通信信号からデータ信号を復調することと、
前記選択された帯域をさらに含む前記データ信号および関連づけられたデータを送信することと
をさらに含む、付記１に記載の方法。
付記６
前記通信デバイスにデータ信号を返送するための前記第１のＲＴＵを選択することと、前記基地局から前記第１のＲＴＵにデータ信号を送信することと、
前記第１のＲＴＵによって前記データ信号をＲＦ変調することと
をさらに含む、付記１に記載の方法。
付記７
前記バックホールリンクを通じての調整を介して、屋外基地トランシーバ局（ＢＴＳ）と前記通信デバイスの電話通信セッションのハンドオーバーを容易にする前記基地局をさらに含む、付記６に記載の方法。
付記８
前記構造物内の２つのセクタ間での前記通信デバイスの電話通信セッションのセクタ転送を容易にするために、前記基地局によって前記第１のＲＴＵを選択することをさらに含む、付記６に記載の方法。
付記９
ダイバーシチのために、フォワードリンク送信において差動遅延を導入することをさらに含む、付記６に記載の方法。
付記１０
ソフトハンドオーバー要求を回避するために、複数のＲＴＵから前記通信デバイスへの共通ＲＦチャネルを利用することをさらに含む、付記６に記載の方法。
付記１１
共通キャリア周波数と、共通擬似雑音オフセットおよびスクランブル符号からなるグループのうちの選択された１つとを使用することにより、共通ＲＦチャネルを利用することをさらに含む、付記１０に記載の方法。
付記１２
構造物内に離間して配置された複数の遠隔トランシーバユニット（ＲＴＵ）のうちの第１のＲＴＵで、通信デバイスからの無線周波（ＲＦ）電話通信信号を、無線で受信するための手段と、
前記ＲＦ電話通信信号からデータ信号を復調し、かつ、ビットまたはシンボルレートで、データレート通信チャネルで、前記データ信号および前記第１のＲＴＵに関連づけられたデータを送信するための手段と、
前記基地局で、前記データ信号および関連づけられたデータを受信するための手段と、
前記基地局で、前記データ信号を集約するための手段と、
通信ネットワークへのバックホールリンクにインターフェースで接続することにより、通信を終結させるための手段と
を含む、建物内から無線電話通信を伝達するための装置。
付記１３
構造物内に離間して配置するための複数の遠隔トランシーバユニット（ＲＴＵ）と、通信デバイスからの無線周波（ＲＦ）電話通信信号を、無線で受信し、前記ＲＦ電話通信信号からデータ信号を復調し、前記データ信号および前記第１のＲＴＵに関連づけられたデータを送信するための第１のＲＴＵと、
ビットまたはシンボルレートでの通信のためのデータレート通信チャネルと、
前記基地局で前記データ信号および関連づけられたデータを受信し、前記基地局で前記データ信号を集約し、通信ネットワークへのバックホールリンクにインターフェースで接続することによって通信を終結させる、ための基地局と
を含む、建物内から無線電話通信を伝達するための装置。
付記１４
前記第１のＲＴＵから、前記データ信号および関連づけられたデータを受信し、重複するカバレッジエリアを有する別のＲＴＵから、前記データ信号の遅延バージョンを受信し、信号品質を向上させるために、両方のＲＴＵからの前記データ信号を集約する、ための前記基地局をさらに含む、付記１３に記載の装置。
付記１５
データ信号レートの倍数であるシンボルレートで前記基地局に前記データ信号を送信するための前記第１のＲＴＵと、増加した空間利得のために軟判定最大比合成を行うための前記基地局とをさらに含む、付記１４に記載の装置。
付記１６
受信信号強度または品質の指標として、前記シンボルレートを重みづけするための前記基地局をさらに含む、付記１５に記載の装置。
付記１７
セルラー帯域およびパーソナル通信サービス（ＰＣＳ）帯域のうちの選択された１つのＲＦ電話通信信号からデータ信号を復調し、前記選択された帯域をさらに含む前記データ信号および関連づけられたデータを送信する、ための前記第１のＲＴＵをさらに含む、付記１３に記載の装置。
付記１８
前記通信デバイスにデータ信号を返送するための前記第１のＲＴＵを選択し、前記基地局から前記第１のＲＴＵにデータ信号を送信する、ための前記基地局と、前記データ信号をＲＦ変調するための前記第１のＲＴＵとをさらに含む、付記１３に記載の装置。
付記１９
前記バックホールリンクを通じての調整を介して、屋外基地トランシーバ局（ＢＴＳ）内の前記通信デバイスの電話通信セッションのハンドオーバーを容易にする前記基地局をさらに含む、付記１８に記載の装置。
付記２０
前記構造物内の２つのセクタ間で、前記通信デバイスの電話通信セッションのセクタ転送を容易にするために、前記基地局によって前記第１のＲＴＵを選択することをさらに含む、付記１８に記載の装置。
付記２１
ダイバーシチのために、フォワードリンク送信において、差動遅延を導入することをさらに含む、付記１８に記載の装置。
付記２２
ソフトハンドオーバー要求を回避するために、前記通信デバイスへの共通ＲＦチャネルを利用することをさらに含む、付記１８に記載の装置。
付記２３
共通キャリア周波数と、共通擬似雑音オフセットおよびスクランブル符号からなるグループのうちの選択された１つとを使用することによって共通ＲＦチャネルを利用することをさらに含む、付記２２に記載の装置。
付記２４
構造物内に離間して配置された複数の遠隔トランシーバユニット（ＲＴＵ）のうちの第１のＲＴＵで、通信デバイスからの無線周波（ＲＦ）電話通信信号を、無線で受信するように、コンピュータにさせるための第１の命令のセットと、
前記ＲＦ電話通信信号からデータ信号を復調するように前記コンピュータにさせ、かつ、ビットまたはシンボルレートで、データレート通信チャネルを通じて前記データ信号および前記第１のＲＴＵに関連づけられたデータを送信するための第２の命令のセットと、
前記基地局で、前記データ信号および関連づけられたデータを受信するように、前記コンピュータにさせるための第３の命令のセットと、
前記基地局で、前記データ信号を集約するように、前記コンピュータにさせるための第４の命令のセットと、
通信ネットワークへのバックホールリンクにインターフェースで接続することによって通信を終結させるように、前記コンピュータにさせるための第５の命令のセットと
を含む、コンピュータ可読記憶媒体
を含む、建物内から無線電話通信を伝達するためのコンピュータプログラムプロダクト。
【図１】
0005248682.tif 000002
【図２】
0005248682.tif 000003
【図３】
0005248682.tif 000004
【図４】
0005248682.tif 000005
【図５】
0005248682.tif 000006
【図６】
0005248682.tif 000007
【図７】
0005248682.tif 000008
【図８】
0005248682.tif 000009